(57)【要約】本発明は、レーダー状妨害信号に応答して無線通信システムの内部で周波数選択を制御する方法と装置に関連する。この方法は、レーダー状信号について複数の周波数を連続的または準連続的に監視し評価して、評価した各周波数に対して、周波数が占有される確率を示す品質パラメータを割り当てることを含む。この方法は、割り当てた品質パラメータと後続周波数の監視に基づいて１つまたは複数の周波数を選択することをさらに含む。
2004535095.tif 000002
【特許請求の範囲】
【請求項１】
レーダー状妨害信号に応答して無線通信システムの内部で周波数選択を制御する方法であって、
（ａ）前記レーダー状妨害信号について１つまたは複数の周波数を連続的または準連続的に監視するとともに評価するステップと、
（ｂ）評価した各周波数に対して、前記周波数がレーダー状妨害信号によって占有される確率を示す品質パラメータを割り当るステップと、
（ｃ）前記割り当てた品質パラメータに基づいて１つまたは複数の周波数を選択するステップと、
（ｄ）レーダー状妨害信号について１つまたは複数の周波数をさらに監視するステップと、
を含む方法。
【請求項２】
請求項１に記載の方法において、前記品質パラメータは、第１の値が周波数が占有されることを示し、第２の値が周波数が占有されていないことを示し、第３の値が周波数が占有されるかもしれないことを示す複数の所定の値の１つをとることができる前記方法。
【請求項３】
請求項１に記載の方法において、前記品質パラメータは、低品質境界値と高品質境界値との間の任意の値をとることができる前記方法。
【請求項４】
請求項１から請求項３の１つに記載の方法において、ステップｃ）では、閾条件を満足する品質パラメータが割り当てられる周波数だけが選択される前記方法。
【請求項５】
請求項１から請求項４の１つに記載の方法において、少なくともステップａ）は、正常伝送モード中に実行される前記方法。
【請求項６】
請求項１から請求項４の１つに記載の方法において、少なくともステップａ）は、正常伝送モードの前に実行される前記方法。
【請求項７】
請求項１から請求項６の１つに記載の方法において、少なくともステップａ）は、前記無線通信システムのアクセス・ポイント（AP）と中央制御装置（CC）の少なくとも１つと交信する独立した監視装置（MD）によって実行される前記方法。
【請求項８】
請求項１から請求項７の１つに記載の方法であって、同じまたは隣接する無線通信システムのアクセス・ポイント（AP）または中央制御装置（CC）に対して前記割り当てられた品質パラメータを伝達することをさらに含む前記方法。
【請求項９】
請求項１から請求項８の１つに記載の方法において、前記レーダー状妨害信号と前記他の妨害信号の少なくとも１つがステップｄ）において検出されると、ステップａ）からステップｃ）が繰り返される前記方法。
【請求項１０】
請求項１から請求項９の１つに記載の方法において、正規動作中に受信／送信ポーズが人為的につくり出される前記方法。
【請求項１１】
請求項１から請求項１０の１つに記載の方法において、ステップｄ）は、１つまたは複数の前記選択された周波数を周期的に監視して、前記選択された周波数の平均品質を評価することを含む前記方法。
【請求項１２】
請求項１１に記載の方法であって、平均品質が最高の１つまたは複数の周波数を送信することをさらに含む前記方法。
【請求項１３】
請求項１２に記載の方法であって、所定の時間後はステップａ）に戻る前記方法。
【請求項１４】
請求項１３に記載の方法において、特定の送信周波数のための前記所定の時間は、この送信周波数に以前に割り当てた品質パラメータに基づいて選択される前記方法。
【請求項１５】
請求項１３または請求項１４の１つに記載の方法において、前記所定の時間は、システムのトラヒック負荷または前記現在使用中の送信周波数の前記伝送品質に基づいてさらに選択される前記方法。
【請求項１６】
請求項１から請求項１５の１つに記載の方法において、第２の送信周波数は、第１の送信周波数から前記第２の送信周波数に切り替わる前に、少なくともステップａ）とステップｂ）が実行される前記方法。
【請求項１７】
コンピュータ・プログラム製品であって、前記製品がコンピュータ上で走行すると、請求項１から請求項１６の前記ステップを実行するプログラム・コード部分を含む前記コンピュータ・プログラム製品。
【請求項１８】
請求項１７に記載のコンピュータ・プログラム製品であって、コンピュータが読み取り可能な記録媒体に格納される前記コンピュータ・プログラム製品。
【請求項１９】
無線通信システムであって、
ａ）レーダー状妨害信号について１つまたは複数の周波数を連続的または準連続的に監視するとともに評価する第１のユニットと、
ｂ）評価した各周波数に対して、周波数がレーダー状妨害信号によって占有される確率を示す品質パラメータを割り当てる第２のユニットと、
ｃ）前記割り当てた品質パラメータに基づいて１つまたは複数の周波数を選択する第３のユニットと、
を含む無線通信システムにおいて、
前記第１のユニットは、レーダー状妨害信号について、１つまたは複数の周波数をさらに監視するようになされている無線通信システム。
【請求項２０】
請求項１９に記載の無線通信システムであって、アクセス・ポイント（AP）または中央制御装置（CC）の少なくとも１つに付随している監視装置（MD）、またはアクセス・ポイント（AP）または中央制御装置（CC）の少なくとも１つから遠く離れた場所にある監視装置（MD）を含む無線通信システムにおいて、
前記監視装置（MD）は、前記レーダー状妨害信号について１つまたは複数の周波数を連続的または準連続的に監視するとともに評価する、少なくとも前記第１のユニットを含む前記無線通信システム。
【発明の詳細な説明】
【技術分野】
【０００１】
本発明は、WLANまたはHIPERLAN/2システムのような無線通信システムを制御する分野に関し、より詳細には、レーダー状妨害信号（radar-like interference signals）に応答して無線通信システムの内部で周波数選択を制御する方法と装置に関する。
【背景技術】
【０００２】
（従来技術の考察）
HIPERLANという表現は、高性能無線LAN（High Performance Radio Local Area Network）の略語である。HIPERLAN/2（H/2）は、代表的なデータ・レートが最大54Mbit/sの高速無線通信システムの規格である。
【０００３】
一般にH/2ネットワークは、いくつかのアクセス・ポイント（AP）から構成される。各APは、或る地理的区域をカバーする。複数のAPが一緒になって、ほとんどすべてのサイズの区域を完全に、または部分的にカバーする無線アクセス・ネットワークを形成する。各APは、そのAPに関連するいくつかの移動端末（MT）のサービスを分担する。無線リンクの品質が許容不能なレベルに劣化すると、MTはハンドオーバーを実行することによって他のAPに移動する。
【０００４】
セルラー・ネットワークのインフラストラクチャに依存しない特別のネットワークとしてH/2を運用するためには、他の動作モードが使用される。この場合、MTの間で動的に選択される中央制御装置（central control：CC）は、固定APと同じサポートを提供する。
【０００５】
H/2システムは、5GHz周波数帯で動作するように考えられている。H/2の公称搬送周波数は、２つの周波数帯に割り当てられている。以下の説明において、5150 MHzと5350 MHzの間の周波数帯は低域周波数帯（lower frequency band）と呼ばれ、5470 MHzと5720 MHzの間の周波数帯は高域周波数帯（upper frequency band）と呼ばれる。各周波数帯の公称搬送周波数は20MHzの間隔がとられている。
【０００６】
H/2システムと他の無線通信システムは、局地的妨害条件に対して動的周波数選択（Dynamic Frequency Selection：DFS）と呼ばれる動的に周波数を適合させる機能が必要である。DFSの役割は、他のシステムからの妨害を検出し、これらのシステムと同一チャネルでの動作を回避することである。DFSが実現できることは、使用されている全ての周波数と使用されていない周波数における妨害を周期的に測定し、この測定結果に従って周波数選択を制御することである。したがって、たとえば、現在使用中の周波数が外部からの干渉によって突然妨害された場合、現在使用中の周波数よりも妨害の程度が小さい新しい周波数を自動的に選択することができる。
【０００７】
無線通信システムでDFSが採り得る解決方法は、通常の動作モード中に周期的に測定を実行することである。伝送容量を高く維持するためには、たとえば、数秒ごとに測定するなど、例外的にのみ測定を実施しなければならない。しかし、或る状況では、そのような測定手法は、以下に述べる理由で十分効果的に機能しない。
【０００８】
H/2システムは、たとえば、そのいくつかが移動型であるレーダー・システムと、低域周波数帯の一部と高域周波数帯を共用できなければならない。代表的なレーダー・システムは、約１度の小さな回転アンテナを持った水平走査用の主ローブを使用する。したがって、DFSの測定方法によってレーダーによる妨害を検出することは困難である。この状況が図１に示されているが、ここでWRとWHは、レーダー信号とH/2 DFS測定の時間長を表しており、TRとTHは、レーダー信号の検出とH/2 DFS測定の周期を表し、TPはレーダー信号の周期を表し、LPは、レーダー・パルスの幅を表している。
【０００９】
レーダー信号とDFS測定の代表的な時間長と代表的な周期を考慮すると、レーダー信号の検出は、十分に信頼できるとはいえない。
【発明の開示】
【発明が解決しようとする課題】
【００１０】
したがって、レーダー状妨害信号に応答し無線通信システムの内部で周波数選択を制御し、効果の良い検出手法の実施を可能にする方法が必要である。またかかる検出方法を実行する無線通信システムの必要性もある。
【課題を解決するための手段】
【００１１】
（本発明の簡単な説明）
存在する必要性は、レーダー状妨害信号に応答し無線通信システムの内部で周波数選択を制御する方法、即ち、レーダー状妨害信号に関連する１つ以上の周波数を連続的または準連続的に監視し評価し、評価した各周波数にレーダー状妨害信号によって占有される確率を示す品質パラメータを割り当て、さらに割り当てた品質パラメータに基づいて１つまたは複数の周波数を選択することを含む方法によって達成される。それに加えて、レーダー状妨害信号に関連する１つ以上の周波数のさらなる監視が実行される。
【００１２】
周波数の監視が連続的または準連続的のいずれかで実行されると、レーダー状妨害信号のより迅速でより信頼度の高い検出が可能になる。準連続的監視は、複数の測定時間を含み、１つの測定時間の長さは、後続の２つの測定時間の間の時間間隔に比較して長い。特定の周波数に現れる妨害信号をすべて検出するために監視が実行される。検出した妨害信号は、検出した妨害信号がレーダー状か否かの問いについて逐次評価される。
【００１３】
レーダー状信号は、高い確率でレーダー・システムに戻る信号である。１つ以上の周波数を評価する場合に考慮することができる代表的なレーダーの特性は、（約１度の）小型の主ローブを備えた（約4〜20秒、望ましくは10秒で360度回転する）回転アンテナ、（各パルスのパルス長が0.05〜100μs、特に約１μsである20〜4000パルス／秒、特に2000〜3000パルス／秒の）短時間パルスの周期的送信および26dbWから100dbWのオーダーの送信電力である。また、同様な特性であるが、回転アンテナを周期的に使用しない追跡レーダーも使用される。
【００１４】
評価に基づいて、評価した各周波数に対して品質パラメータが割り当てられる。品質パラメータは、望ましくは、所定の一組または所定の範囲の品質パラメータうちの何らかの値でありうる。好適実施例によれば、品質パラメータは、単純なイエス／ノーの解答よりもさらに詳細な情報を含む。したがって、品質パラメータは３つ以上の値をとることができる。１つのオプションによれば、品質パラメータは複数の離散値、たとえば、正確に３つの所定の値をとることができる。第１の値は、たとえば、レーダー状妨害信号が検出されているので周波数が占有されることを示す。第２の値は、たとえば、妨害信号を検出できなかったので周波数が占有されないことを示す。第３の値は、たとえば、妨害信号が検出されているが検出した妨害信号が実際にレーダー状であるか否か不明瞭なので周波数が占有されることがありうることを示す。
【００１５】
第２のオプションによれば、低品質境界値と高品質境界値の間のいかなる値でもとれるように品質パラメータを定義することができる。所定の連続範囲の値の中に含まれるいかなる値でもとれる品質パラメータを使用できることは利点がある。何故ならば、たとえば、後続の監視ステップに円滑に適応可能になるからである。割り当てた品質パラメータに基づく１つまたは複数の周波数の選択は、特定の周波数に割り当てた品質パラメータが閾条件を満たしているか否か評価することによって実行される。
【００１６】
複数の周波数の連続的または準連続的な監視と評価は、正常動作中、つまり、正規の送信と同時に、所定の始動モード中の、たとえば、正常動作の前に実行される。無線通信システムの正常伝送モード中に監視と評価を実行するのであれば、そのシステムはレーダー状妨害信号について複数の周波数を監視するための独立した監視装置を含むことができる。この監視装置は、監視した周波数の評価を実行することが望ましい。その上、この監視装置は、評価した各周波数に対して品質パラメータを割り当てることができる。監視装置は、APまたはCCの少なくとも１つの一部でありうる。代替方法として、監視装置をAPまたはCCと別に設置してもよいが、その監視装置は、そのAPまたはCCと交信することができる。
【００１７】
内部の監視装置またはソフトウエアによる方法によってAPまたはCCの内部で発生した品質パラメータは、さらなるAPまたはCCに伝達される。これらのさらなるAPまたはCCは、その品質パラメータを割り当てた構成要素と同じ無線通信システム、または隣接無線通信システムに属していてもよい。受信するAPまたはCCは、受信した１つまたは複数の品質パラメータに基づいて、自身の周波数を選択することができる。
【００１８】
本発明によれば、周波数は、割り当てられた品質パラメータに基づいて選択される。選択された周波数は、さらなる監視を受けることができる。一般的に、さらなる監視はレーダー状妨害信号と他の妨害信号の少なくとも１つに関連しうる。かかる妨害信号が検出されると、レーダー状妨害信号を考慮した１つ以上の周波数を再び評価した後、評価した周波数に対応する品質パラメータを割り当てるため、さらなる連続的または準連続的な監視が始動される。正常動作中は、受信ポーズと送信ポーズの少なくとも１つを人為的につくり出すことができる。
【００１９】
このさらなる監視を、代替方法としてまたは追加的に、DFSに従って実行するとともに送信するために使用するか、あるいはそのいずれかを実行または使用してもよい。したがってこのさらなる監視は、たとえば、システムのトラヒック負荷または現在使用中の送信周波数の伝送品質に関して、たとえば、非レーダー状妨害信号または前に選択した周波数の平均品質の評価に関連してもよい。望ましくは、さらなる監視は、図１に示すレーダーの検出には一般に適当ではない短時間の周期的測定を含む。
【００２０】
無線通信システムの正常伝送モードに先行する無線通信システムの始動モード中に、レーダー状妨害信号について複数の周波数を評価するための連続的または準連続的な監視を実行できることを上述した。かかる始動モードは、高い品質パラメータの周波数を選択することを含むことができる。たとえば、DFSを含むことができる第２の選択ステップにおいて、送信用として伝送品質が最良の周波数を選択することができる。望ましくは、選択した周波数の周期的監視が始動した後、ランダムに選択された時間中に送信が始動する。これによって、いくつかのAPが、たとえば、DFSを使用して隣接するAPの妨害を測定し、必要ならば他の周波数を選択することによって対処することが可能になる。DFSは、送信の開始に先立ち、送信の開始と同時に、あるいは送信の開始後に動作可能になりうる。
【００２１】
APまたはCCが、隣接するAPまたはCCの妨害に対処することを可能にするため、送信は非正規伝送モードで始動することが望ましい。したがって、非正規伝送モードの始動後の所定の時間またはランダムに選択された時間の前に正常伝送モードを始動してはならない。H/2システムが非正規伝送モードから正常伝送モードに切り替わると、始動モードは直ちに終了する。
【００２２】
正常伝送モードが始動した後の所定の時間中に、選択した送信周波数は再び連続的または準連続的な監視が実行され、レーダー状妨害信号または他の妨害信号について評価される。この所定の時間は、各種送信周波数に対して違っていてもよい。望ましくは、この所定の時間は、現在の送信周波数に以前に割り当てられた品質パラメータに基づいて選択される。しかし、システムのトラヒック負荷または現在使用中の送信周波数の伝送品質が別途考慮される。
【００２３】
本発明のさらなる実施例によれば、本発明の方法は、無線通信システムが第１の送信周波数から第２の送信周波数に変更しようとするたびに適用される。第２の送信周波数に切り替わる前に、第２の送信周波数は連続的または準連続的な監視と評価が実行される。つぎに評価した第２の送信周波数に品質パラメータが割り当てられる。第２の送信周波数は、割り当てられた品質パラメータに基づいて送信周波数として選択される。これに引き続いて、第２の送信周波数は、レーダー状妨害信号または他の妨害信号についてさらなる監視が実行される。
【００２４】
上に概略を説明した方法は、製品がコンピュータ上で走行すると、この方法の個々のステップを実行するプログラム・コード部分を含むコンピュータ・プログラム製品によって実施される。コンピュータ・プログラム製品は、コンピュータが読み出し可能な記憶媒体に格納される。
【００２５】
また本発明は、レーダー状妨害信号について１つ以上の周波数を連続的または準連続的に監視して評価し、周波数が占有される確率を示す品質パラメータを評価した各周波数に割り当て、割り当てた品質パラメータに基づいて１つまたは複数の周波数を選択するユニットを含む無線通信システムによって実施される。
【００２６】
このシステムは、レーダー状妨害信号と他の妨害信号の少なくとも１つについて、さらなる１つまたは複数の周波数を監視するユニットをさらに含む。さらなる監視をするユニットは、複数の周波数を連続的または準連続的に監視するユニットと同一でよい。望ましくは、上に概略を説明した無線通信システムのユニットの少なくともいくつかは、APまたはCCの少なくとも１つに付随している監視装置、またはAPまたはCCの少なくとも１つから離れた場所にある監視装置の中に含まれる。
【００２７】
（好適実施例の説明）
本発明のさらなる利点は、添付の図面を参照し、以下に記す本発明の好適実施例の説明から明らかになるであろう。
【００２８】
本発明は、あるゆる種類の無線通信システムに適用される。以下の説明では、H/2システムとIEEE 802.11a/hシステムを中心に本発明を詳細に説明する。
【００２９】
図２の下半分には、H/2システムまたはIEEE 802.11a/hシステムにおける本発明によるレーダー検出用連続的監視方法が示されている。図から判るように、連続的監視は、DFS測定の所要時間に比べて長い所要時間Wtotが必要な１つの測定から構成される。Wtotは、少なくとも１つの周期的レーダー・パルスが受信されることが保証されるように選ばれる。代表的なレーダーの周期は10秒である。したがって、Wtotを時間方向に少なくとも10秒延長しなければならない。検出した妨害信号を周期的妨害信号として識別するためには、少なくとも２つの、望ましくは３つまたはそれ以上のレーダー・パルスを受信できるようにWtotを選ぶと好都合である。Wtotがこのように選ばれると、H/2システムまたはIEEE 802.11a/hシステムは、周期的レーダー状妨害信号と、たとえば、通常は周期的でない追跡レーダーからの妨害信号のような他の非周期的レーダー状妨害信号との間をより確実に区別できるようになる。
【００３０】
図２に示すように、個々の周波数に対する監視が終了してしまうと、この周波数に対して品質パラメータを割り当てるために、監視の結果を評価しなければならない。
【００３１】
第１の例として、周波数が占有される確率を示す品質パラメータの限定された１組が提供される。第１の品質パラメータ（1）は、周期的妨害信号が検出されているので各自の周波数がレーダーによって占有されていることを示す。第２の品質パラメータ（0）は、周期的妨害信号も非周期的妨害信号も検出されていないので各自の周波数がレーダーによって占有されていないことを示す。第３の品質パラメータ（?）は、たとえば、妨害信号が検出されているが、検出された妨害信号が実際に周期的であるか否かが不明瞭なので、各自の周波数がレーダーによって占有されるゼロより大きい確率が存在していることを示す。
【００３２】
（0）でマークされた周波数は、H/2システムまたはIEEE 802.11a/hシステムの送信周波数として逐次使用される。他方、（1）または（?）でマークされた周波数を使用することは許されない。周波数に割り当てられた品質パラメータに関係なく、測定周期が、割り当てられた品質パラメータの信頼性になっているように、引き続き全周波数の監視が周期的に繰り返される。したがって、（?）でマークされた周波数は、（0）または（1）でマークされた周波数より頻繁に監視される。代替方法としてまたは追加的に、監視周期が特定のセルの中の総合伝送品質になっていてもよい。
【００３３】
品質パラメータの個々の組を定義するかわりに、より一般的な態様では、各周波数fに或る確率P(f)を割り当てる。P(f)は、低品質境界値P1と高品質境界値P0の中間にある。P1とP0は調整可能である。連続品質パラメータP(f)の導入により、周波数が占有されるか否かのより詳細な評価が可能になる。
【００３４】
一例として、P0をゼロに等しく選び（レーダー状信号が検出されていない）、P1の値を１に等しく選ぶ（１つまたは複数のレーダー状信号が検出されている）ことができるとする。閾値を0、１に決めることにする。評価される各周波数fiごとに対応する品質パラメータP(fi)が発生し、周波数fiに割り当てられる。周波数fiの品質パラメータP(fi)が閾値0.1以下であれば、さらなる監視および送信のため、またはそれらのいずれかのために周波数fiが逐次選択される。反対に、特定の周波数fiの品質パラメータP(fi)がこの閾値以上であれば、周波数fiは選択されない。
【００３５】
周波数fiに品質パラメータP(fi)が割り当てられてしまうと、周波数fiは追加される周期的測定が逐次実行される。望ましくは、追加測定の周期性が品質パラメータP(f)の信頼性に基づいて選ばれる。このことは、P(f)の値が約0.5であれば多数回の測定が実行され、P(f)の値が0または1に近ければ少数回の測定が実行されることを意味している。
【００３６】
P(f)を使用すると、実際の妨害条件に対して監視周期が円滑に適合することが可能になる。妨害信号の検出と、検出した妨害信号を考慮した周波数の評価は、H/2システムまたはIEEE 802.11a/hシステムが、周期的に受信した小パルスを探索するように実施される。受信したパルスは、各自の信号レベルが或る閾値より大きい場合、妨害信号と認定される。予想されるレーダー信号のスペクトルやレーダーより分散が大きい同一チャネル妨害のような他の妨害の統計値に似たさらなるパラメータは、レーダー状信号について特定の周波数を分析するために考慮されてもよい。
【００３７】
品質パラメータを割り当てる目的で検出した妨害信号を解析するため、以下の方法を使用することができる。監視時間Wtot中にN個のRSS（Received Signal Strength：受信信号強度）のサンプルがとられる。どのRSSサンプルもレーダーを代表する或る信号の閾値以上でなければ、周波数はレーダーによって占有されないと仮定する。少なくとも１つのRSSサンプルがこの閾値以上であれば、この電界強度の高いRSSサンプルは、レーダー状信号または同一チャネル妨害のような何らかの他の妨害によって生じたのかもしれない。分散のようなRSSサンプルのいくつかの統計値、占有された帯域幅等が、同一チャネル妨害またはレーダーに対して代表的であるか否かをチェックしなければならない。この調査に基づいて、レーダーによって使用されているらしいか否かのマークが最終的にチャネルにつけられる。上に指摘したように、この確率は、P(f)あるいはマーク（0）、（1）または（?）の１つによって表現される。
【００３８】
レーダー検出ユニットRDと動的周波数選択ユニットDFSを含むH/2システムまたはIEEE 802.11a/hシステムの中で本発明を実施できることが、図３に示されている。レーダー検出ユニットRDは、レーダー状信号について連続的または準連続的な監視を実行し、動的周波数選択ユニットDFSは、たとえば、隣接システムから生じる他の妨害信号について短時間の監視を実行する。レーダー検出と動的周波数選択に対する可能な測定方法は、図２に模範的に示されている。
【００３９】
レーダー検出ユニットRDは、レーダー状信号について評価されたｍ個の周波数を受信する。レーダー検出ユニットRDによって評価された周波数は、総合周波数帯域または個々のサポート/・プロバイダに割り当てられた一組の周波数によって構成される。レーダー検出ユニットRDの中では、レーダー検出ユニットRDによって評価された各周波数fiに品質パラメータP(fi)が割り当てられる。レーダー検出ユニットRDの中で第１の選択が実行されると、品質パラメータP(f)が或る閾条件を満足するｎ個（ｎ≦ｍ）の周波数が動的周波数選択ユニットDFSに入力される。動的周波数選択ユニットDFSは、たとえば、平均伝送品質について受信したこの周波数を評価し、送信用として最適の周波数に関する第２の選択を実行する。この１つの周波数は、動的周波数選択ユニットDFSによって逐次出力され、送信のために使用される。
【００４０】
本発明に従ってH/2システムの内部で周波数選択を制御する方法は、H/2システムまたはIEEE 802.11a/hシステムの正常伝送モード中に、または同システムの特別な始動モード中、つまり正常伝送の前に実施される。以下の説明の中で模範的な４ステップの始動モードが示されている。
【００４１】
第１のステップの時間中に、周波数が監視され、レーダー状信号について評価される。第２と第３のステップでは、図１に示すようにDFSが実行される。第４のステップでは、H/2システムまたはIEEE 802.11a/hシステムが正常動作モードに切り替わる。さらなるステップは、第１のステップと同様な監視が、数時間ごとに周期的に繰り返されるようにオプションとして定義される。以下の説明の中で、個々のステップをより詳細に考察する。
【００４２】
始動モードのステップ１は、AP（H/2、IEEE 802.11a/h）またはCC（IEEE 802.11a/h）がオンになると自動的に始動する。ステップ１の時間中に、１回も送信されないと、たとえば、H/2の高域周波数帯の全周波数が、監視結果を考慮して連続的または準連続的に監視され評価される。監視時間の長さはレーダー妨害の予想される周期TRに依存して決定される。次に、監視した各周波数に対して品質パラメータが割り当てられる。１つの周波数における測定は、その周波数で周期的レーダー信号による妨害が或る確率で検出されると直ちに中止になる。したがって始動時間が短縮する。ステップ１は、図３に示すレーダー検出ユニットRDによって実行される。
【００４３】
全周波数を１回監視してしまうと、APはステップ２に続く。ステップ２は、図３に示す動的周波数選択ユニットDFSによって実行される。
【００４４】
ステップ２の時間中に、高い品質パラメータ（たとえば、所定の閾条件を満足する（0）またはP(f)の値）が割り当てられた全チャネルは、非連続的であるが周期的に測定される。この周期的測定によって、各周波数の平均品質を評価することができる。周期的測定は非常に短時間であるから、通常、周期的妨害信号を検出することはできない。ステップ２の所要時間T2は、通常、所定の時間の範囲内でランダムに選択される。ランダムに選択された所要時間T2により、同時にオンに切り替えられてしまっているいくつかのAPまたはCCが、ステップ２からステップ３に同期して切り替わることが回避される。T2が経過すると、APまたはCCは、妨害が最小で品質が最良の周波数を自動的に選択する。次にAPまたはCCはステップ３に切り替わる。
【００４５】
ステップ３におけるAPまたはCCは、ステップ２で選択された周波数でBCH（報知チャネル：Broadcast Channel, H/2）またはビーコン（IEEE 802.11a/h）を非正規伝送モードで周期的に送信する。H/2システムまたはIEEE 802.11a/hシステムの中では、他のいかなる送信も抑止される。MTは、APまたはCCに関連することもAPまたはCCと交信することも許されない。BCHまたはビーコンの送信の間のMAC（メディア・アクセス制御：Medium Access Control）フレームの残り部分においては、APまたはCCは、ステップ２で選択された周波数と他の周波数との妨害の監視を続ける。ステップ２のときと同様、周期的妨害信号を検出する監視は、一般に短時間すぎである。
【００４６】
ステップ３ではDFSが動作可能になる。このことは、ステップ２の時間中に選択された周波数で妨害が増加し、他の周波数よりも大きくなると、APまたはCCが、妨害が最低な次に最良の周波数に自動的に切り替わることを意味している。この切り替えは、所定のヒステリシスを考慮して妨害が同様かほとんど同じ周波数の間で早すぎる切り替えを回避する。
【００４７】
ステップ３の所要時間T3は、固定されていることが望ましい。代替方法として、所定の時間範囲内でT3をランダムに選択してもよい。T3が経過すると、APまたはCCはステップ４に自動的に切り替わる。ステップ２のランダムな所要時間T2の利点がこれで明らかになる。APまたはCCは同時にステップ３に切り替わることはないから、非正規伝送が始動すると、いくつかのAPまたはCCは、隣接APまたはCCからのBCHまたはビーコンの送信からの妨害を測定することができ、異なる送信周波数を選択することによって対処することができる。始動モードはステップ３からステップ４に継続する。
【００４８】
ステップ４は正常動作モードに対応する。APまたはCCはBCHまたはビーコンの送信を続け、MTが集まることとMTとの交信を可能にする。DFSは、動作可能な状態を続ける。
【００４９】
オプションとしてのさらなるステップによれば、ステップ１は、H/2システムまたはIEEE 802.11a/hシステムの正常動作モード中の受信／送信ポーズで繰り返される。再び複数の周波数が、連続的または準連続的に監視される。この監視の繰り返し間隔は、システムのトラヒック負荷と以前に送信周波数または他の周波数に割り当てられた品質パラメータ、またはそれらのいずれかに基づいて選ばれる。
【００５０】
始動モードの形式で本発明の方法を実施するかわりに、またはこの方法を実施することに加えて、APまたはCCによって新しい周波数が選択されるたびにこの方法が実行されるように、H/2システムまたはIEEE 802.11a/hシステムの正規動作中にこの方法を適用することができる。このことは、（たとえば、DFSに従って）新しい周波数が選択されるたびに、この新しく選択された周波数が監視され評価されて、この新しく選択された周波数に対して品質パラメータが割り当てられることを意味している。（Wtotに対応する）監視時間の長さが比較的長い連続的または準連続的な監視は、前に説明したように使用される。始動モードのステップ１に関連して上に示したものと同じ測定と判断手続きを利用することができる。
【００５１】
新しい周波数がレーダーによって既に占有されていると判断されると、この周波数は、対応する品質パラメータでマークされ、続いてH/2システムまたはIEEE 802.11a/hシステムによって無効にされる。この後、許容された周波数のリスト、たとえば、適当な品質パラメータが割り当てられている周波数から別の周波数が選択される。許容された周波数のリストからの選択は、図１および２に示すDFSに従って実行される。許容された周波数は、DFSによる同一チャネル妨害の測定値に基づいてランク付けされる。新しい周波数に切り替わる前に本発明の方法を実行する態様は、上に説明した始動モードと都合良く結合される。
【００５２】
H/2システムまたはIEEE 802.11a/hシステムの正規動作中、つまり正規伝送中に、たとえば、システムのトラヒック負荷および送信周波数に割り当てられた品質パラメータ、またはそれらのいずれかに基づいて受信／送信ポーズを人為的につくり出すことができる。人為的につくり出された受信／送信ポーズ中に、さらなる電波検出を実行することができる。受信／送信ポーズ中に実行された電波検出は、現在の送信周波数について実行されるだけであることが望ましい。受信／送信ポーズの長さは、H/2システムまたはIEEE 802.11a/hシステムの高度な送信能力を維持するために、数ミリ秒を超えてはならない。
【００５３】
１つまたは複数の周波数の品質パラメータをAPまたはCCが決定してしまうと、この決定した品質パラメータは、同じシステムの隣接APまたはCC、または隣接システムのAPまたはCCに対して伝達される。この追加情報は、或る周波数がレーダーによって占有されるか否かについて、さらに明確に判断するため各自のAPまたはCCによって使用される。また、一般的には、特定のシステムの中の１つのAPまたは１つのCCだけに本発明を実行する能力を提供すれば十分である。
【００５４】
上に概略を説明した方法は、APまたはCCのファームウエアで実施されてもよい。したがって、本発明を実施するためのハードウエアを追加する必要はない。代替方法として、レーダー検出ユニットとして動作する独立した監視装置をAPまたはCCの中に含めてもよいし、APまたはCCと結合させてもよい。この監視装置の役割は、レーダー・システムから生じる周期的妨害信号を検出するため、１つまたは複数の周波数を監視することである。それに加えて、この監視装置は、検出した妨害信号について周波数を評価し、評価した各周波数に対応する品質パラメータを割り当てるための適切な機能を含むことができる。このような監視装置を含むH/2システムまたはIEEE 802.11a/hシステムのいくつかの実施例（realization）が図４から図７に示されている。
【実施例１】
【００５５】
監視装置MDを含むH/2システムまたはIEEE 802.11a/hシステムの第１の実施例が図４に示されている。このシステムは、３つのMTと１つのAPを含む。監視装置MDは、ソフトウエアによる解決方法としてAPの中に含まれている。このような含まれた監視装置MDの欠点は、APが送信しているときは測定できないことである。このことは、APの正規の送信中に、連続的または準連続的な監視を実行できないことを意味している。
【実施例２】
【００５６】
図５に示すシステムによれば、監視装置MDは、ハードウエアによる解決方法としてAPに接続される。監視装置MDは、配線による接続または配線なしの接続によってAPに接続されてもよい。無線接続は、たとえば、別の無線インターフェース（たとえば、ブルーツース）、あるいはMT／APまたはMT／CC通信の仕様が策定済みのH/2システムまたはIEEE 802.11a/hシステムのエア・インターフェースによって提供されてもよい。
【実施例３】
【００５７】
監視装置MDを含むH/2システムまたはIEEE 802.11a/hシステムの第３の実施例が図６に示されている。図６に示すこのシステムは、４つのセルを含む。第１のセルは、図４に示す監視装置MDを含むAPによって定義される。第２と第３のセルは、監視装置MDを備えていないAPによって定義される。第４のセルは、CCによって定義される。
【００５８】
特定の周波数に割り当てられた個々の品質パラメータは、監視装置MDが付随しているAPから３つの隣接セルに伝達される。したがって、これらの３つのセルは、監視装置MDと交信するAPの中で実行された監視と評価の恩恵を受けることができる。個々のセルは無線接続によって接続される。
【実施例４】
【００５９】
H/2システムまたはIEEE 802.11a/hシステムの本発明による第４の実施例が図７に示されている。図７に示すシステムは、APセルおよびCCセルから或る距離だけ離れて配置されている監視装置MDを含む。監視装置MDは、たとえば、無線接続または有線リンクによってAPおよびCCと交信する。監視装置MDはAPおよびCCと離れているので、監視装置MDは、APまたはCCの送信中に連続的または準連続的な監視を実行することができる。このことによって、H/2システムまたはIEEE 802.11a/hシステムの正常動作モード中にレーダー信号のより確実な検出が可能になる。
【図面の簡単な説明】
【００６０】
【図１】H/2システムの監視方法を実現できることを示す図である。
【図２】本発明によるH/2システムの監視方法を示す図である。
【図３】本発明に従ってH/2システムでレーダー検出と動的周波数選択を実現できることを示す図である。
【図４】本発明によるH/2システムの第１の実施例を示す図である。
【図５】本発明によるH/2システムの第２の実施例を示す図である。
【図６】本発明によるH/2システムの第３の実施例を示す図である。
【図７】本発明によるH/2システムの第４の実施例を示す図である。
【図１】
2004535095.tif 000003
【図２】
2004535095.tif 000004
【図３】
2004535095.tif 000005
【国際公開パンフレット】
2004535095.tif 000006
2004535095.tif 000007
2004535095.tif 000008
2004535095.tif 000009
2004535095.tif 000010
2004535095.tif 000011
2004535095.tif 000012
2004535095.tif 000013
2004535095.tif 000014
2004535095.tif 000015
2004535095.tif 000016
2004535095.tif 000017
2004535095.tif 000018
2004535095.tif 000019
2004535095.tif 000020
2004535095.tif 000021
2004535095.tif 000022
2004535095.tif 000023
2004535095.tif 000024
2004535095.tif 000025
2004535095.tif 000026
2004535095.tif 000027
2004535095.tif 000028
2004535095.tif 000029
2004535095.tif 000030
2004535095.tif 000031
2004535095.tif 000032
2004535095.tif 000033
2004535095.tif 000034
2004535095.tif 000035
【国際公開パンフレット（コレクトバージョン）】
2004535095.tif 000036
2004535095.tif 000037
【国際調査報告】
2004535095.tif 000038
2004535095.tif 000039
2004535095.tif 000040